(57)【要約】【課題】  従来の遊技機では、デザイン変更や部品交換の際にサイドレンズカバー全体を交換するので作業がしずらく、しかも、コストが嵩んでしまうという問題があった。【解決手段】  サイドレンズカバー５は、全体としてベースドア４ａの左右の両側部４ｃの前面側に沿った形状をしており、両側部４ｃの前面側に嵌め込まれる。サイドレンズカバー５は、上部ベース４２の下端から上縁までの両側部４ｃの前面側を覆う上部カバー６と、前面ドア４の下端から上部ベース４２の下端までの両側部４ｃの前面側を覆う下部カバー７とから構成されている。上部カバー６と下部カバー７とは、前面ドア４に取り付けられている際には一体化された状態にあるが、上部カバー６と下部カバー７とで分離させることもできる。【選択図】  図９
2006094945.tif 000002
【特許請求の範囲】
【請求項１】
遊技に用いられる機器を収納する筐体と、
この筐体前面に開閉自在に取り付けられた扉体と、
この扉体の上部から下部にかけて着脱自在に設けられた装飾部材とを備える遊技機において、
前記装飾部材は、少なくとも上部側と下部側とで分離自在に形成されていることを特徴とする遊技機。
【請求項２】
前記装飾部材は、前記扉体の上部から下部にかけて複数設けられた照明装置と、
この照明装置の前方を覆って少なくとも上部側と下部側とで分離自在に前記扉体に取り付けられたカバーとから構成されていることを特徴とする請求項１に記載の遊技機。
【発明の詳細な説明】
【技術分野】
【０００１】
本発明は、筐体の扉体に装飾部材を備える遊技機に関するものである。
【背景技術】
【０００２】
従来、このような遊技機としては、例えば、リールの回転を遊技者の操作に応じて停止させるスロットマシンで、いわゆるパチスロ機と称される下記の特許文献１に開示されたものがある。このパチスロ機では、遊技媒体であるメダルが遊技に賭けられてスタートレバーが操作されると、複数の役の中から当選役が決定され、続いて複数列に配列されたリールが回転を開始する。各リールに対応して設けられた停止ボタンが操作されると、その操作タイミングと当選役とに応じてリールの回転が停止する。この際、各リールの外周面に表されたシンボルの組合せが、当選役に対応する組合せであるときは、メダルの払い出しが行われる。また、ボーナスといった特定の当選役に係る特定の図柄組合せが停止表示して入賞が成立すると、ボーナス遊技といった遊技者に有利な遊技状態に遊技が移行する。
【０００３】
遊技に用いられるリールや制御基板等の機器を収納している筐体前面には、前面ドアが開閉自在に取り付けられている。この前面ドアの両端には、その上部から下部にかけて縦長に電飾表示手段が設けられている。電飾表示手段は装飾部材としてサイドレンズカバーを備えており、サイドレンズカバー背後の前面ドアにはＬＥＤ（発光ダイオード）を用いた照明装置が配置されている。照明装置は、当選役や遊技状態等に応じて駆動されてＬＥＤを発光させる。発光された光は、サイドレンズカバーに取り付けられたレンズを通して、遊技者に視認される。
【特許文献１】特開２００４−２４８０４号公報（段落［００６３］〜［００７０］参照）
【発明の開示】
【発明が解決しようとする課題】
【０００４】
一般的にこの種のパチスロ機の筐体は再使用され、機種変更を伴う再使用時には筐体のデザイン変更が行われる。このデザイン変更の際にはデザインのバリエーションの多様化が望まれる。しかし、上記従来のパチスロ機におけるサイドレンズカバーは、前面ドアの上部から下部にかけた全体が一体に構成されていたので、デザイン変更によってサイドレンズカバーの形状等に一部変更が生じた場合にも、サイドレンズカバー全体を交換する必要があった。また、サイドレンズカバーの一部に破損等が生じた場合にも、サイドレンズカバー全体を交換する必要があった。このため、従来のパチスロ機においては、サイドレンズカバー全体を交換することから、デザイン変更の際にはバリエーションの多様化を容易に図れず、また、部品交換の際には、交換作業がしずらく、しかも、コストが嵩んでしまう。
【課題を解決するための手段】
【０００５】
本発明はこのような課題を解決するためになされたもので、遊技に用いられる機器を収納する筐体と、この筐体前面に開閉自在に取り付けられた扉体と、この扉体の上部から下部にかけて着脱自在に設けられた装飾部材とを備える遊技機において、装飾部材は、少なくとも上部側と下部側とで分離自在に形成されていることを特徴とする。
【０００６】
この構成によれば、装飾部材が少なくとも上部側と下部側とで分離自在に形成されているので、機種変更を伴う筐体再使用時のデザイン変更によって装飾部材の形状等に一部変更が生じた場合にも、装飾部材全体を交換せずに該当する箇所だけ交換すれば足りる。このため、筐体のデザイン変更を行う場合におけるデザインのバリエーションの多様化を容易に図ることができる。また、装飾部材の一部に破損等があった場合にも、装飾部材全体を交換する必要がない。このため、部品交換の際に装飾部材全体を交換するのが避けられて、交換作業が容易になると共にコストが嵩むのを防止できる。しかも、装飾部材のみを交換することができるので、機種変更の際に筐体を再使用できる。
【０００７】
また、本発明は、装飾部材は、扉体の上部から下部にかけて複数設けられた照明装置と、この照明装置の前方を覆って少なくとも上部側と下部側とで分離自在に扉体に取り付けられたカバーとから構成されていることを特徴とする。
【０００８】
この構成によれば、カバーが分離自在に構成されているので、一部の照明装置を交換する際にカバー全体を扉体から取り外す必要がなく、該当する箇所のカバーだけを取り外して照明装置を交換することが出来る。このため、照明装置の交換作業がしやすくなる。
【発明の効果】
【０００９】
このような本発明によれば、上記のように、筐体のデザイン変更の際にデザインのバリエーションの多様化を容易に図ることができる。また、部品の交換作業が容易になると共にコストが嵩むのを防止できる。しかも、機種変更の際に筐体や扉体を再使用できる。
【発明を実施するための最良の形態】
【００１０】
図１は本実施形態によるパチスロ機１の外観を示す一部分解斜視図、図２はリール表示窓部１１を取り外した状態のパチスロ機１の筐体１ａから取り外された前面ドア４を示す正面図、図３は前面ドア４の側面図である。なお、これら各図において、同一または相当する部分には、同一符号を付している。
【００１１】
パチスロ機１は、図１に示すように、筐体１ａの前面開口が扉体である前面ドア４で塞がれて覆われている。前面ドア４は、筐体１ａの前面の一側に片側が開閉自在に軸支されている。筐体１ａの内部の中央部には回転自在に３個のリールが設けられている（図示せず）。各リールの外周面には複数種類の図柄（以下、シンボルという）から成るシンボル列が描かれている。また、筐体１ａには、パチスロ機１による遊技動作を制御する制御回路が構成された制御基板をはじめ、遊技に用いられる各種機器が収納されている。
【００１２】
各リールの前部にはリール表示窓部１１が設けられており、このリール表示窓部１１に形成された３個のリール表示窓を通して、各リールの外周面に描かれたシンボルがそれぞれ３個ずつ観察される。リール表示窓部１１には、横３本と斜め２本の計５本の入賞ラインが設けられている場合がある。また、表示窓の下方右側には、遊技者が遊技媒体であるメダルを入れるための投入口１２が設けられている。
【００１３】
ゲーム開始に先立って、遊技者がメダル投入口１２から１枚のメダルを投入したときは、中央の横１本の入賞ラインが有効化される。また、２枚投入したときは、これに上下の横２本の入賞ラインが加わって横３本の入賞ラインが有効化される。また、３枚投入したときは、５本の入賞ラインの全てが有効化される。
【００１４】
図１，図２に示すように、表示窓の左方には、上部から、役物回数表示器１３、３個の遊技メダル投入枚数表示ランプ１４ａ〜１４ｃ、遊技メダル払出枚数表示器１５、遊技メダル貯留枚数表示器１６が設けられている。役物回数表示器１３は３桁の７セグメントＬＥＤからなり、ボーナスゲーム入賞時に、ＲＢゲームおよびジャックゲームの残り入賞可能回数をデジタル表示する。遊技メダル投入枚数表示ランプ１４ａ，１４ｂ，１４ｃはメダルの投入枚数３枚，２枚，１枚に応じて点灯する。遊技メダル払出枚数表示器１５は２桁の７セグメントＬＥＤからなり、入賞によるメダル払い出し枚数を表示する。遊技メダル貯留枚数表示器１６は２桁の７セグメントＬＥＤからなり、機械内部に現在クレジットされているメダル数を表示する。また、遊技メダル貯留枚数表示器１６の下方には、左側から、遊技メダル投入ランプ１７ａ、遊技開始表示ランプ１７ｂ、遊技停止表示器（ウエイトランプ）１７ｃ、再遊技表示器１７ｄ、当たり表示ランプ（ＷＩＮランプ）１７ｅが設けられており、これらはＬＥＤによって構成されている。遊技メダル投入ランプ１７ａは、メダルの投入が受け付け可能なときに点灯する。遊技開始表示ランプ１７ｂは、リールが回転可能なときに点滅する。遊技停止表示器（ウエイトランプ）１７ｃは、前回のリール回転から今回のリール回転までの時間が４．１秒未満のとき等に点灯する。再遊技表示器１７ｄは、リプレイが作動したときに点灯する。当たり表示ランプ（ＷＩＮランプ）１７ｅはＢＢ中にＲＢが内部当たりした遊技終了時等に点灯する。
【００１５】
また、リール表示窓部１１は、保護パネル１１ａおよびその背後の遊技情報表示パネル１１ｂを支持した表示窓フレーム１１ｃを表示窓フレームベース４１に取り付けて構成されている。リール表示窓部１１の背後には液晶表示パネルが設けられており、この液晶表示パネルには種々の遊技情報や遊技演出画像が表示される。リール表示窓部１１の下方左側には、１貯留メダル投入スイッチ１９ａ、２貯留メダル投入スイッチ１９ｂ、３貯留メダル投入スイッチ１９ｃ、選択ボタン２０ａ、および決定ボタン２０ｂが設けられている。貯留メダル投入スイッチ１９ａ〜１９ｃは、遊技メダル貯留枚数表示器１６にメダル数が表示されてメダルがクレジットされている際に、メダル投入口１２へのメダル投入に代えて１回のゲームに１〜３枚のメダルを賭ける際に使用される。選択ボタン２０ａは、液晶表示パネルにおける表示項目の選択に用いられる。決定ボタン２０ｂは、選択ボタン２０ａで選択された液晶表示パネルにおける表示項目の決定に用いられる。
【００１６】
また、リール表示窓部１１のさらに下方には、左側から、スタートレバー２１、および停止ボタン２２ａ〜２２ｃが設けられている。スタートレバー２１の操作により各リールの回転が一斉に開始する。停止ボタン２２ａ〜２２ｃは、各リールに対応して配置されており、これら各リールの回転が一定速度に達したとき操作が有効化され、遊技者の操作に応じて各リールの回転を停止する。
【００１７】
また、前面ドア４の正面下部には腰部パネル２４が設けられており、この腰部パネル２４の下方にはメダル受皿２５が設けられている。メダル受皿２５はメダル払出口２６から払い出されるメダルを貯めるものである。腰部パネル２４は、図１に示すように、四角枠状の腰部フレーム２４ａの背面に保護パネル２４ｂ、遊技シート２４ｃ、および保護パネル２４ｄが取り付けられて一体化されて構成され、腰部フレームベース４６に取り付けられている。腰部フレーム２４ａの右端部には、閉塞部材２４ｅ（図６参照）が取り付けられる。閉塞部材２４ｅは、腰部フレーム２４ａの右端側からの保護パネル２４ｂ，２４ｄの引出口を閉塞する部材である。この閉塞部材２４ｅには、腰部フレーム２４ａの右端側から保護パネル２４ａ，２４ｄに挟まれた遊技シート２４ｃを出し入れするための引出口２４ｆ（図６参照）が設けられている。
【００１８】
また、図１〜図３の各図に示すように、パチスロ機１の正面上部には、上部装飾ランプを覆う上部装飾ランプカバー１ｂが取り付けられている。上部装飾ランプカバー１ｂの下方中央には、入賞に対してどれだけのメダルが払い出されるかを示す配当表示部２７が設けられている。配当表示部２７の両側方には、スピーカから出力される音が放音される放音口が形成されたスピーカカバー２８，２８が設けられている。また、前面ドア４の前面の両側部には、後述するサイドレンズカバー５が取り付けられている。
【００１９】
図４は前面ドア４を前方右側から見た分解斜視図、図５は前面ドア４を構成するベースドア４ａを前方右側から見た斜視図である。
【００２０】
図４に示すように、前面ドア４は、上述したスタートレバー２１等の操作部や、サイドレンズカバー５等の各部材を土台となるベースドア４ａに取り付けて構成されている。ベースドア４ａは、図５に示され、前面ドア４の筐体１ａ前面と対向する背面側を構成している。ベースドア４ａのリール表示窓部１１が取り付けられる、その上部装飾ランプカバー１ｂ取付領域を除く正面上半部は、表示窓フレームベース４１になっており、表示窓フレームベース４１は、表示窓フレーム１１ｃの外形とほぼ同様の形状の四角枠状に形成されている。表示窓フレームベース４１の上辺部および下辺部には、表示窓フレーム１１ｃの上端部および下端部に形成された図示しないフックが係止する係合孔４１ｂが設けられている。表示窓フレームベース４１の内側の左端部は、上述した各ランプや表示器が取り付けられる取付ベース４１ａの領域になっている。また、表示窓フレームベース４１の上方は、上部装飾ランプカバー１ｂが取り付けられる上部ベース４２の領域になっている。上部ベース４２の上辺部および下辺部には、上部装飾ランプカバー１ｂに設けられたフック８８（図１０、図１１参照）が嵌入する嵌入孔４２ａが２個ずつ設けられている。
【００２１】
また、ベースドア４ａの高さ方向中央部には、後述する操作部カバー２３が取り付けられる操作部カバー取付部４ｄの領域が設けられている。操作部カバー取付部４ｄの下方のベースドア４ａの腰部は、腰部パネル２４が取り付けられる腰部フレームベース４６の領域になっている。腰部フレームベース４６は、腰部フレーム２４ａの外形とほぼ同様の形状の四角枠状に形成されている。腰部フレームベース４６の上辺部および下辺部には、腰部フレーム２４ａの上端部および下端部に形成されたフック２４ａ１（図１参照）が係止する複数の係止孔４６ａが設けられている。また、腰部フレームベース４６の上辺部には、腰部フレーム２４ａに設けられた図示しない嵌入片が嵌入する嵌入孔４６ｂが設けられている。
【００２２】
図４に示すように、スタートレバー２１は、その操作方向を検知するセンサ等と一体化されたスタートレバーユニットとして、操作部カバー２３の左側下部の取付孔２３ａを介してベースドア４ａに取り付けられる。停止ボタン２２ａ〜２２ｃは、停止ボタンユニット２２として一体化されて、操作部カバー２３の下部中央に設けられた取付孔２３ｂを介してベースドア４ａに取り付けられる。各メダル投入スイッチ１９ａ〜１９ｃおよび各ボタン２０ａ、２０ｂは、これらの操作を検知するセンサ等と一体化されたユニットとなっており、取付板１９に取り付けられる。取付板１９は、操作部カバー２３上部の台座２３ｃに取り付けられて、各メダル投入スイッチ１９ａ〜１９ｃおよび各ボタン２０ａ、２０ｂが、台座２３ｃに設けられた取付孔２３ｄを介してベースドア４ａに取り付けられる。メダル投入口１２は、メダル投入口１２から投入されたメダルをパチスロ機１内部に導く導入路と、導入路を通過するメダルを検知するセンサ等とが一体化された投入機構部１２ａの一部を構成している。投入機構部１２ａは、操作部カバー２３の右側に設けられた投入機構部取付孔２３ｅからメダル投入口１２が露出するように投入機構部取付孔２３ｅに取り付けられる。
【００２３】
メダル受皿２５は、コインガードプレート２５ａを挟んでベースドア４ａ前面の下部に取り付けられる。コインガードプレート２５ａは、メダル受皿２５内に落下したメダルからベースドア４ａ前面を保護するためのものである。また、ベースドア４ａの両側部には、上述したサイドレンズカバー５が取り付けられる。サイドレンズカバー５の背面には、図４に示すようにサイドレンズ９が取り付けられる。
【００２４】
図６は、上部装飾ランプカバー１ｂおよびその背後の後述する上部パネル８、並びにサイドレンズカバー５が取り外された前面ドア４を示す斜視図，図７は、図６に示す前面ドア４の正面図である。
【００２５】
ベースドア４ａの左右の両側部４ｃの前面には、図６，図７に示すように、照明装置として複数のＬＥＤ基板４３が取り付けられている。ＬＥＤ基板４３は、それぞれベースドア４ａの左右の両側部４ｃの前面に沿った矩形状を呈しており、表面に複数のＬＥＤ４３ａを取り付けて構成されている。ＬＥＤ基板４３は、ベースドア４ａの左右の両側部４ｃの側部に対向して設けられたフック４４によって両側部４ｃの前面に嵌め込まれている。なお、図示しないが、上部ベース４２の両側部の前面にも同様にＬＥＤ基板４３が設けられる。各ＬＥＤ基板４３上のＬＥＤ４３ａは、パチスロ機１の遊技状態等に応じて点灯制御される。また、前面ドア４の右側部４ｃの前面には、前面ドア４の開閉に鍵をかける鍵差込部４５が設けられている。
【００２６】
図８は、前面ドア４から取り外したサイドレンズカバー５と、上部装飾ランプカバー１ｂを取り外した上部パネル８とを前方右側から見た斜視図、図９は、サイドレンズカバー５を上下に分離した状態を前方右側から見た斜視図である。
【００２７】
サイドレンズカバー５は、全体としてベースドア４ａの左右の両側部４ｃの前面側に沿った形状をしており、両側部４ｃの前面側に着脱自在に嵌め込まれ、ＬＥＤ基板４３からなる照明装置と共に装飾部材を構成している。サイドレンズカバー５は、上部ベース４２の下端から上端までのベースドア４ａの左右の両側部４ｃの前面側を覆う上部カバー６と、前面ドア４の下端から上部ベース４２の下端までのベースドア４ａの左右の両側部４ｃの前面側を覆う下部カバー７とから構成されている。上部カバー６と下部カバー７とは、前面ドア４に取り付けられている際には図８に示す一体化された状態にあるが、図９に示すように、上部カバー６と各下部カバー７とで分離させることもできる。
【００２８】
図１０は上部カバー６および上部パネル８の前方右側からの斜視図、図１１は上部カバー６および上部パネル８を前方から見た正面図、図１２は上部カバー６および上部パネル８を後方から見た背面図である。
【００２９】
各上部カバー６の前面は、上端部において緩やかに前方に向けて略円弧状に下降傾斜しており、中央部において下方に向けてほぼ垂直方向に向けて落ち込んだ後、下端部にかけて緩やかに後方に向けて略円弧状に下降傾斜している。各上部カバー６の前面には、上下方向に沿って２本のスリット６１，６１が設けられている。
【００３０】
スリット６１，６１が設けられた箇所には、それぞれ上部カバー６の背面側からサイドレンズが取り付けられる。両スリット６１，６１からは、上部カバー６に取り付けられたサイドレンズの前端部が上部カバー６の前方に露出する。サイドレンズは、透明の樹脂から形成されており、上述したＬＥＤ基板４３と同様なＬＥＤ基板のＬＥＤから発光された光を透過する。上部カバー６の前方からは、サイドレンズで透過された光がスリット６１，６１を通して視認される。
【００３１】
両上部カバー６は、上部パネル８、および図６および図７に示す上部ベース４２の両側部４ｃの前面に着脱自在に取り付けられている。上部パネル８は、略四角形状の板状体から構成されている。上部パネル８前面の両側部のやや下方には、スピーカが嵌め込まれるスピーカ取付孔８１が形成されている。スピーカ取付孔８１は、略円形状に形成されており、その周囲にはスピーカがネジ止めされるネジ孔８２が４個設けられている。
【００３２】
また、上部パネル８の中央部のやや下方には、正面視略四角形状の開口８３が設けられている。開口８３の周縁部からは、上部パネル８の後方に向けて突片８４が突出しており、これら突片８４によって蛍光灯取付部が形成されている。蛍光灯取付部には、配当表示部２７を照明する蛍光灯が取り付けられる。また、上部パネル８の中央部の上方には、上部装飾ランプを構成するＬＥＤ基板が取り付けられる基板取付部８５が設けられている。基板取付部８５は、上部パネル８前方に突出した略矩形状の平坦部から構成されており、両側部にはＬＥＤ基板がネジ止めされるネジ孔８６が１個ずつ設けられている。この基板取付部８５および蛍光灯取付部と、スピーカ取付孔８１とは、隔壁８７によって隔てられている。また、上部パネル８の上縁および下縁には、上部パネル８を上部ベース４２に取り付けるためのフック８８が２個ずつ設けられている。各フック８８は、上述した上部ベース４２の係止孔４２ａに係止して、上部パネル８を上部ベース４２に固定する。上部パネル８の前面には、上述した上部装飾ランプカバー１ｂが取り付けられる。
【００３３】
図１３（ａ）〜（ｃ）は前面ドア４の右側に取り付けられる下部カバー７およびサイドレンズ９ａ，９ｂの前方右側からの分解斜視図、図１４（ａ）および（ｂ）は前面ドア４の左側および右側に取り付けられる下部カバー７の前方右側からの斜視図、図１５（ａ）および（ｂ）は図１４（ａ）および（ｂ）に示す下部カバー７を前方から見た正面図、図１６（ａ）および（ｂ）は図１４（ａ）および（ｂ）に示す下部カバー７を左側から見た側面図、図１７（ａ）および（ｂ）は図１４（ａ）および（ｂ）に示す下部カバー７を右側から見た側面図、図１８（ａ）および（ｂ）は図１４（ａ）および（ｂ）に示す下部カバー７を後方から見た背面図である。
【００３４】
図１３，図１４，図１６，および図１７に示すように、各下部カバー７の前面は、上端部から中央部にかけて、ベースドア４ａの左右の両側部４ｃの前面に沿って緩やかに前方に向けて下降傾斜し、中央部において両側部４ｃ中央の前方に略円弧状に膨出した後、下端部にかけて下方に向けてほぼ垂直に落ち込んでいる。
【００３５】
図１３〜図１５，および図１８に示すように、下部カバー７の上端部から中央部やや上方にかけての部分と、中央部やや下方から下端部にかけての部分とには、それぞれ縦方向に沿って２本のスリット７１，７１が設けられている。図１３に示すように、スリット７１，７１が設けられた箇所には、それぞれ下部カバー７の背面側からサイドレンズ９が取り付けられる。サイドレンズ９の下端部には図示しない開口が設けられている。両スリット７１，７１からは、下部カバー７に取り付けられたサイドレンズ９の突出した前端部が下部カバー７の前方に露出する。サイドレンズ９は、透明の樹脂から形成されており、上述したＬＥＤ基板４３のＬＥＤ４３ａから発光された光を透過する。従って、下部カバー７の前方からは、サイドレンズ９で透過された光がスリット７１，７１を通して視認される。
【００３６】
図１８に示すように、両スリット７１，７１に挟まれて形成された柱状部７２の背面の下端近傍には、ネジ孔７３が設けられている。また、スリット７１，７１の長さ方向のほぼ中央部には、スリット７１，７１内に向けて突出した一対のフック７４が設けられている。また、各スリット７１，７１の上端部にはそれぞれ１個のフック７５が設けられている。各フック７５は、スリット７１，７１の上端部から、スリット７１，７１内下方に向けて突出している。サイドレンズ９は、長さ方向中央部の両側部をフック７４で固定され、上端部をフック７５で固定され、また、下端部に設けられた開口を介してネジ孔７３でネジ止めされて、下部カバー７の背面に取り付けられている。下部カバー７の中央部の前面には、円形の開口７６が設けられている。前面ドア４の右側に取り付けられる下部カバー７の開口７６には、上述した前面ドア４の鍵差込部４５が挿通される。
【００３７】
図１６（ｂ）に示すように、前面ドア４の右側に取り付けられる下部カバー７の左側の後端縁には、下部カバー７を前面ドア４に取り付けるための５個のフック７７が設けられている。各フック７７は、下部カバー７の後方に向けて突設されている。また、この下部カバー７の左側の後端縁の高さ方向中央部には、下部カバー７を前面ドア４に取り付けるための１個のフック７８が設けられている。フック７８は、下部カバー７の左側に向けて突設されている。図１３〜図１８の各図に示すように前面ドア４の左側に取り付けられる下部カバー７は、前面ドア４の右側に取り付けられる下部カバー７と左右を逆にした形状を有しており、フック７７およびフック７８の設けられている位置も逆側となっている。
【００３８】
上述した本実施形態によるパチスロ機１では、図９に示すように、ベースドア４ａの左右の両側部４ｃの前面側を覆うサイドレンズカバー５が、上部カバー６と下部カバー７とで分離自在に形成されている。このため、例えば、図１９〜図２１の各図に示すように、前面ドア４の左右両側の上部カバー６を前面ドア４に取り付けたままの状態で、ベースドア４ａの左右の両側部４ｃから下部カバー７のみを取り外すことができる。なお、これら各図において図１〜図１８と同一部分には同一符号を付してその説明は省略する。また、前面ドア４の左側または右側の上部カバー６のみ、または、前面ドア４の左側または右側の下部カバー７のみを前面ドア４から取り外すこともできる。このため、機種変更を伴う筐体１ａ再使用時のデザイン変更によってサイドレンズカバー５の形状等に一部変更が生じた場合にも、サイドレンズカバー５全体を交換せずに該当する箇所の上部カバー６または下部カバー７だけ交換すれば足り、筐体１ａのデザイン変更を行う場合におけるデザインのバリエーションの多様化を容易に図ることができる。また、サイドレンズカバー５の一部に破損等があった場合にも、サイドレンズカバー５全体を交換する必要がない。このため、部品交換の際にサイドレンズカバー５全体を交換するのが避けられて、交換作業が容易になると共にコストが嵩むのを防止できる。しかも、サイドレンズカバー５を構成する上部カバー６または下部カバー７のみを交換することができるので、パチスロ機１の機種変更の際に筐体１ａや前面ドア４を再使用できる。
【００３９】
また、サイドレンズカバー５が上部カバー６と下部カバー７とで分離自在に構成されているので、一部のＬＥＤ基板４３を交換する際にサイドレンズカバー５全体を前面ドア４から取り外す必要がなく、該当する箇所の上部カバー６または下部カバー７だけを取り外してＬＥＤ基板４３を交換することが出来る。このため、ＬＥＤ基板４３の交換作業がしやすくなる。
【００４０】
なお、上記実施の形態では、サイドレンズカバー５が、上部カバー６と下部カバー７とにのみ分離自在に形成されている場合について説明した。しかし、サイドレンズカバー５をどのように分離できるように構成するかは任意であり、例えば、各下部カバー７を更に上部と下部とに分離できるように構成してもよい。また、サイドレンズカバー５を構成する各部材間の取付や前面ドア４へのサイドレンズカバー５の取付に用いられるフックやネジ孔の形状や数量、また、各部材間の取付方法も任意であり適宜変更して差し支えない。また、上部カバー６とこの上部カバー６に取り付けられるサイドレンズ９の取付構造も任意であり、例えば、下部カバー７とサイドレンズ９との取付構造と同様の構成とすることができる。
【産業上の利用可能性】
【００４１】
上記実施形態においては、本発明による遊技機をスロットマシンに適用した場合について説明したが、筐体の前面ドアにカバーを備える他の遊技機に本発明を適用することも可能である。このような遊技機に本発明を適用した場合においても上記実施形態と同様な作用効果が奏される。
【図面の簡単な説明】
【００４２】
【図１】本発明の一実施形態によるパチスロ機の外観を示す分解斜視図である。
【図２】図１に示すパチスロ機の筐体から取り外された前面ドアの正面図である。
【図３】図２に示す前面ドアの側面図である。
【図４】前面ドアを前方右側から見た分解斜視図である。
【図５】前面ドアを構成するベースドアを前方右側から見た斜視図である。
【図６】サイドレンズカバー、上部装飾ランプカバー、および上部パネルを取り除いた状態の前面ドアを示す斜視図である。
【図７】図６に示す前面ドアの正面図である。
【図８】図２に示すサイドレンズカバーと上部パネルとを示す斜視図である。
【図９】図８に示すサイドレンズカバーを上下に分離した状態を示す斜視図である。
【図１０】図８に示す上部カバーおよび上部パネルの前面側からの斜視図である。
【図１１】図８に示す上部カバーおよび上部パネルの正面図である。
【図１２】図８に示す上部カバーおよび上部パネルの背面図である。
【図１３】前面ドアの右側に取り付けられる下部カバーの前方右側からの分解斜視図である。
【図１４】前面ドアの左側および右側に取り付けられる下部カバーの前方右側からの斜視図である。
【図１５】図１４に示す下部カバーの正面図である。
【図１６】図１４に示す下部カバーの左側からの側面図である。
【図１７】図１４に示す下部カバーの右側からの側面図である。
【図１８】図１４に示す下部カバーの背面図である。
【図１９】図２に示す前面ドアから下部カバーを取り外した状態を示す斜視図である。
【図２０】図１９に示す前面ドアの正面図である。
【図２１】図１９に示す前面ドアの側面図である。
【符号の説明】
【００４３】
１…パチスロ機
１ａ…筐体
１ｂ…上部装飾ランプカバー
４…前面ドア
５…サイドレンズカバー
６…上部カバー
７…下部カバー
８…上部パネル
【図１】
2006094945.tif 000003
【図２】
2006094945.tif 000004
【図３】
2006094945.tif 000005
【図４】
2006094945.tif 000006
【図５】
2006094945.tif 000007
【図６】
2006094945.tif 000008
【図７】
2006094945.tif 000009
【図８】
2006094945.tif 000010
【図９】
2006094945.tif 000011
【図１０】
2006094945.tif 000012
【図１１】
2006094945.tif 000013
【図１２】
2006094945.tif 000014
【図１３】
2006094945.tif 000015
【図１４】
2006094945.tif 000016
【図１５】
2006094945.tif 000017
【図１６】
2006094945.tif 000018
【図１７】
2006094945.tif 000019
【図１８】
2006094945.tif 000020
【図１９】
2006094945.tif 000021
【図２０】
2006094945.tif 000022
【図２１】
2006094945.tif 000023